(57)【特許請求の範囲】
【請求項１】
所定の印刷が施された印刷シートと、前記印刷シートに光を照射して発光させる所定の光源とを有する遊技機であって、
前記印刷シートの所定範囲を発光させるための第一の光源と、
前記印刷シートの裏面側に配置され、前記印刷シートのうち、前記所定範囲より狭い特定範囲に向けて光を出射する第二の光源を有する光源ユニットと、
前記光源ユニットを固定する枠体と、を備え、
前記枠体は、
前記光源ユニットの固定位置を前記印刷シートに対応する領域内において選択可能に形成されたことを特徴とする遊技機。
【請求項２】
前記光源ユニットは、所定の中心点を基準に点対称に配置された前記枠体に固定される固定孔を有するとともに、前記第二の光源を前記中心点からずらして配置した請求項１記載の遊技機。
【請求項３】
前記枠体は、平行に配置される少なくとも２本のレール枠を備え、
前記光源ユニットは、前記２本のレール枠に架設可能な長さを有する本体と、弾性変形により２本のレール枠に係止される又は２本のレール枠を係止する弾性係止部と、本体の長手方向にスライド移動可能に設けられ前記第二の光源を備えるスライド部と、を有する請求項１又は２記載の遊技機。
【請求項４】
前記枠体に一又は二以上の取付け孔が形成され、
前記光源ユニットは、長手方向に一又は二以上の接合孔が形成された一定長の板材と、この板材の端部に配置された前記第二の光源とを備え、
前記取付け孔と前記接合孔とを所定の取付け部材によって結合することによって前記光源ユニットを前記枠体に着脱自在に取付け可能な請求項１乃至３のいずれか一項記載の遊技機。
【発明の詳細な説明】
【技術分野】
【０００１】
本発明は、遊技機の照明構造に関する。
【背景技術】
【０００２】
メダル等を遊技媒体とする一般的なスロットマシンは、様々な絵柄や文字が表記され、機種の特徴が表された印刷シートに光を照射して、遊技者等に絵柄等を識別させるパネル部を備えている。
【０００３】
このような従来のパネル部では、印刷シートの裏面側に透明の導光板を配置するとともに周縁に光源を配置することにより、導光板の端面から入射した光の反射光を利用して間接的に印刷シートを照射する方式が多く採用されている。
この方式によれば、印刷シートの広範囲を均一の明るさで発光させることができるため、印刷シート上の絵柄等をムラなく表示することができる。
また、パネル部の裏面側に配置した光源を用いて印刷シートを直接照射することにより、特定箇所を一層明るく発光させる方式もある。
例えば、特許文献１には、印刷シートの背面に、端部に第一の発光装置を配設した導光板と、導光板の背面に、遮光板で形成した区画内に第二の発光装置を配設した配置パネルとからなるパネル部を有する遊技機が開示されている。
このようなパネル部の構造によれば、第二の発光装置が遮光板で覆われているため、第二の発光装置からの出射光を、第一の発光装置からの出射光による干渉等の影響を受けることなく印刷シートに直接照射させることができる。
したがって、パネルの全面を均一の明るさで発光させるとともに、特定箇所を効率よくスポット的に発光させることができ、パネル表示の演出性をより高めることができる。
【先行技術文献】
【特許文献】
【０００４】
【特許文献１】特開２０１０−７５３６５号公報
【発明の概要】
【発明が解決しようとする課題】
【０００６】
本発明は、上述したような従来の技術が有する問題を解決するために提案されたものであり、パネル部を照射する照明構造を備えた遊技機の提供を目的とする。
【課題を解決するための手段】
【０００７】
上記目的を達成するために、本発明の遊技機は、所定の印刷が施された印刷シートと、前記印刷シートに光を照射して発光させる所定の光源とを有する遊技機であって、前記印刷シートの所定範囲を発光させるための第一の光源と、前記印刷シートの裏面側に配置され、前記印刷シートのうち、前記所定範囲とは異なる特定範囲に向けて光を出射する第二の光源を有する光源ユニットと、前記光源ユニットを固定する枠体と、を備え、前記枠体は、前記光源ユニットの固定位置を前記印刷シートに対応する領域内において選択可能に形成された構成としてある。
【発明の効果】
【０００８】
本発明によれば、パネル部の照明構造の汎用性を高めることができる。
【図面の簡単な説明】
【０００９】
【図１】本発明の一実施形態に係るスロットマシンの外観を示す概略斜視図である。
【図２】本発明の一実施形態に係るスロットマシンの内部構成を示す概略斜視図である。
【図３】本発明の一実施形態に係るスロットマシンの制御構成の一例を示すブロック図である。
【図４】本実施形態のパネル部の一例を示す分解斜視図である。
【図５】本実施形態のパネル部の光路を示すための要部断面図である。
【図６】本実施形態に係るパネル部を構成する光源ユニット及び枠体の一例を説明するための説明図であり、図６（ａ）は、光源ユニット及び枠体の一例を示した斜視図、図６（ｂ）は、光源ユニットを枠体に取付けたときの正面図、図６（ｃ）は、光源ユニットの向きを変えて枠体に取付けたときの正面図である。
【図７】本実施形態に係る光源ユニット及び枠体の他の例を説明するための説明図であり、図７（ａ）は、光源ユニット及び枠体の他の例を示す斜視図、図７（ｂ）は、光源ユニットを枠体に取付けたときの正面図、図７（ｃ）は、光源ユニットの向きを変えて枠体に取付けたときの正面図である。
【図８】本発明の第二実施形態に係るパネル部を構成する光源ユニット及び枠体の一例を説明するための説明図であり、図８（ａ）は、光源ユニット及び枠体の斜視図、図８（ｂ）は、光源ユニットの正面図、図８（ｃ）は、光源ユニットの分解斜視図である。
【図９】本実施形態に係る光源ユニットの他の例を示す斜視図である。
【図１０】本発明の第三実施形態に係るパネル部を構成する光源ユニット及び枠体の一例を示す正面図である。
【図１１】本実施形態に係る光源ユニット及び枠体の他の例を示す正面図である。
【発明を実施するための形態】
【００１０】
以下、本発明に係るスロットマシンの好ましい実施形態について、各図を参照して説明する。
【００１１】
［第一実施形態］
［スロットマシン本体］
図１は、本発明の第一実施形態に係るスロットマシンの外観を示す概略斜視図、図２は、本発明の第一実施形態に係るスロットマシンの内部構成を示す概略斜視図、図３は、本発明の第一実施形態に係るスロットマシンの制御構成の一例を示すブロック図である。
【００１２】
これらの図に示すように、本実施形態のスロットマシン１は、複数のリール２１ａ，２１ｂ，２１ｃを回転させることによって遊技媒体であるメダルを獲得することができる回胴式遊技機を構成している。
【００１３】
スロットマシン１は、内部がマイクロコンピュータ等で構成された制御部３０、後述するＬＥＤ等の光源を制御する制御手段としての演出制御部３１、及び必要な機械、装置等を収納する正面側が開口した筐体１ｂと、筐体１ｂの正面側を開閉可能に覆う前扉１ａとで構成されている。
【００１４】
前扉１ａは、図２に示すように、スロットマシン１の筐体１ｂにヒンジ等を介して開閉可能に取り付けられる扉体で、この前扉１ａに遊技操作に係る操作部４が設けられて、スロットマシン１の正面部を構成している。
【００１５】
操作部４には、メダルが投入されるメダル投入口４０と、各リール２１ａ，２１ｂ，２１ｃの回転を始動させるスタートレバー４１と、回転している各リール２１ａ，２１ｂ，２１ｃを停止させる３つの停止ボタン４２ａ，４２ｂ，４２ｃが設けられている。
【００１６】
前扉１ａには、各リール２１ａ，２１ｂ，２１ｃに表示された図柄を視認可能とする表示窓５が、操作部４の上側に設けられる。また、前扉１ａには、機種の名称等を表す文字や機種に関連するキャラクターの絵柄等が表示されるパネル部６が、例えば操作部４の下側に設けられる。さらに、前扉１ａには、効果音等が出力されるスピーカ７が、例えばパネル部６の下側に設けられる。
【００１７】
筐体１ｂの中央には、リール２１ａ，２１ｂ，２１ｃと、各リール２１ａ，２１ｂ，２１ｃを回転させる図示しないモータ及び回転位置を検出するセンサ等を備えるドラムユニット２が設けられる。
【００１８】
また、筐体１ｂの下部には、メダルを貯留・払出するメダル払出装置８が設けられる。メダル払出装置８には、メダルを貯留するホッパー８０が設けられ、メダル投入口４０より投入されたメダルは、メダルセレクタ８１により検出されるとともに、ホッパー８０に誘導されるようになっている。
【００１９】
図３に示すように、スロットマシン１では、遊技者によりメダル投入口４０からメダルが投入され、スタートレバー４１が操作されると、スタート信号が制御部３０に入力される。スタート信号が入力されると、制御部３０では、所定の遊技プログラムに従いドラムユニット２を駆動して、各リール２１ａ，２１ｂ，２１ｃを回転させる制御を行う。
【００２０】
さらに、制御部３０では、例えばボーナスや小役等を抽選する内部抽選が行われ、各停止ボタン４２ａ，４２ｂ，４２ｃが押下操作されたタイミングに基づき、抽選結果に応じた図柄の組合せで停止するよう、回転している各リール２１ａ，２１ｂ，２１ｃの停止制御を行う。
【００２１】
また、制御部３０は、各リール２１ａ，２１ｂ，２１ｃを所定の図柄の組合せで停止させると、メダル払出装置８で所定数のメダルを払い出す制御を行い、メダルをメダル払出口８２から払い出す。
【００２２】
スロットマシン１では、制御部３０における制御によって上述したスロットマシン遊技が開始されると、所定の信号が制御部３０から演出制御部３１に入力される。演出制御部３１では、所定の演出プログラムに従いパネル部６に備えたＬＥＤ６００、６１０やスピーカ７を駆動して、演出制御を行う。
【００２３】
［パネル部］
次に、本実施形態のパネル部について、各図を参照して詳述する。
図４は、本実施形態のパネル部の一例を示す分解斜視図であり、図５は、パネル部の光路を示すための要部断面図である。
図４に示すように、パネル部６は、所定の絵柄や文字が描かれた印刷シート６３と、印刷シート６３の裏面に透光性の導光板６４と、導光板６４の裏面に不透光性の反射シート６５と、反射シート６５の裏面側に所定の枠体６６と、これらを一体にしてスロットマシン１の前扉１ａに取付けるためのパネル枠６２を備える。
導光板６４としては、例えば、透明のアクリル材等を用いることができる。また、反射シート６５としては、高い反射率を有し、後述する第一の光源（ＬＥＤ６００）からの光を効果的に反射し得る表面をもつ素材（例えば、表面が白色や銀色、又は、鏡面のシート材）を用いることができる。
なお、パネル枠６２と前扉１ａには対応する係止手段を備えており、このためパネル部６はスロットマシン１に対して着脱可能であり、かつ、各構成部材が分離可能となっている。
このように、分離・着脱可能なパネル部６を備えることで、パネル部６全部を交換することなく、印刷シート６３を交換するだけで、表示内容の変更が行えるようになっている。すなわち、印刷シート６３を交換することで、異なる機種に変更できるように、汎用化が図られている。
【００２４】
また、パネル部６は、印刷シート６３に描かれた絵柄等を照射して発光させるために第一の光源と第二の光源とを備える。
第一の光源は、印刷シート６３の広範囲を均一に照射するための光源であり、導光板６４の外周縁に一又は複数設置する。
例えば、図４や図５に示すように、第一の光源である発光ダイオード（以下、ＬＥＤ６００という。）が設置された基板６０１を枠体６６側部の所定箇所に取付けることによって、ＬＥＤ６００が、導光板６４の端面に配置するようにする。
このようにすると、導光板６４の端面から入射されたＬＥＤ６００の出射光Ｘが導光板６４の裏面に配置した反射シート６５で反射する過程を経て、印刷シート６３の広範囲が均一に照射される。
【００２５】
第二の光源は、印刷シート６３の特定範囲に直接光を照射するための光源であり、導光板６４の背面にある反射シート６５の裏面側に設置する。
このようにすると、例えば、印刷シート６３にピエロの絵が描かれている場合において、ピエロの目の部分だけをスポット的に明るく発光させることができ、パネル表示の演出性を高めることができる。また、演出制御部３１の演出制御にもとづき動的に発光させ、また、スピーカ７からの音声出力と組み合わせることによって、パネル表示の演出性をより一層高めることが可能となる。
【００２６】
具体的には、図４や図５に示すように、第二の光源である発光ダイオード（以下、ＬＥＤ６１０という。）が設置された基板６１１を枠体６６正面の該当領域に取付け、ＬＥＤ６１０の出射光Ｙの光路が印刷シート６３の特定範囲を示すようにする。
ここで、ＬＥＤ６１０の光路にかかる反射シート６５の部分は切除して開口部６５１を設ける。
また、ＬＥＤ６１０は、開口部６５１の反射シート６５より後ろ側に配置するようにする。
このようにすると、ＬＥＤ６００の出射光Ｘの光路とＬＥＤ６１０の出射光Ｙの光路とを互いに調整することができ、双方の発光効率をともに向上させることができる。
すなわち、導光板６４の裏面には、開口部６５１を除き反射シート６５が配置されている。このため、開口部６５１以外からの無用な光の入射を防ぐことができ、ＬＥＤ６００の出射光Ｘを導光板６４内で効率よく伝搬させることができる。
また、反射シート６５の開口部６５１によってＬＥＤ６１０の出射光Ｙの指向性を高めることができるため、印刷シート６３に対し効果的にスポット照射することが可能となる。
すなわち、このような光学的構造によれば、パネルの全体をムラなく効率よく発光させるだけでなく、特定の範囲についてはスポット的にかつ効率的に発光させることができる。
【００２７】
なお、反射シート６５は、図４に示すように、予め切取り線６５２を施しておくことが好ましい。このようにすると、ＬＥＤ６１０の位置にあわせて容易に開口部６５１を形成することができる。
このため、ＬＥＤ６１０の新設時や配置変更時に、光路にかかる開口部６５１を迅速かつ的確に形成することができる。
【００２８】
ここで、本実施形態に係るパネル部を構成する光源ユニット及び枠体の一例について説明する。
図６（ａ）は、本実施形態のパネル部を構成する光源ユニット及び枠体の一例を示した斜視図、図６（ｂ）は、光源ユニットを枠体に取付けたときの正面図、図６（ｃ）は、光源ユニットの向きを変えて枠体に取付けたときの正面図である。
図６に示すように、本実施形態の光源ユニット６１は、ＬＥＤ６１０を矩形状の基板６１１上に配置したものである。
光源ユニット６１の基板６１１には、枠体６６正面に備えられた爪部６６１に光源ユニット６１を係止するための固定孔６１２を備える。例えば、図６（ａ）に示すように、基板６１１の周縁の各辺に沿って四つの固定孔６１２ｐ，６１２ｑ，６１２ｒ，６１２ｓを備える。
【００２９】
これに対し、枠体６６は、縦横に配列した複数の矩形状の貫通孔６６２を有することで格子状の枠を形成している。
この貫通孔６６２は、光源ユニット６１を枠体６６に取り付けたそれぞれの領域において、ＬＥＤ６１０に付属する電源のリード線６１９を基板６１１の裏側から引き出すために利用される。このため、貫通孔６６２は、光源ユニット６１の形状・サイズにあわせて形成することが好ましい。
このようにすると、取付けた光源ユニット６１の位置や向きにかかわらずリード線６１９を容易に引き出すことができ、枠体６６の裏側で収まりよく布設することができる。
また、貫通孔６６２は、反射シート６５と同様、通常は塞がった状態とし、ＬＥＤ６１０の取付け領域のみを除くことによって形成するようにしてもよい。
この場合、枠体６６の表面に不透光性の塗料（例えば、白色や銀色の着色塗料など、ＬＥＤ６００からの光を高い反射率をもって反射することが可能な塗料）を塗布することによって反射面を形成するようにしてもよい。
このようにすると、枠体６６と反射シート６５とを一体的に形成することができるため、部材を簡素化することができる。また、枠体６６の該当領域を除くことによって、反射シート６５の開口部６５２と枠体６６の貫通孔６６２とを同時に形成することができる。
【００３０】
また、枠体６６は、光源ユニット６１を固定するため、前記固定孔６１２に対応した爪部６６１を備える。
爪部６６１は、貫通孔６６２の周囲の枠体６６上に備え、例えば、図６（ａ）に示すように、貫通孔６６２の上下左右の枠に、四つの爪部６６１ｐ，６６１ｑ，６６１ｒ，６６１ｓを形成する。
【００３１】
そして、光源ユニット６１を枠体６６に取付けるに当たっては、固定孔６１２ｐ〜６１２ｓを、それぞれ爪部６６１ｐ〜６６１ｓに嵌め込むようにする。
これにより、図６（ｂ）に示すように、爪部６６１ｐと固定孔６１２ｐ、爪部６６１ｑと固定孔６１２ｑ、爪部６６１ｒと固定孔６１２ｒ、爪部６６１ｓと固定孔６１２ｓ、がそれぞれ係合して光源ユニット６１が固定され、この固定領域の左上の小領域にＬＥＤ６１０が配置される。
取付けた光源ユニット６１は、爪部６６１から固定孔６１２を外すことで、枠体６６から容易に取り外すことができる。
このため、使用済みのスロットマシンのパネル部６から光源ユニット６１を取り外して再利用することも容易に可能である。
【００３２】
ところで、本実施形態の光源ユニット６１は、前記固定孔６１２が、基板６１１の中心点を基準に点対称に配置するようにしている。
例えば、図６に示す光源ユニット６１は、上下、左右に対称に固定孔６１２を配置するようにしている。
このようにすると、光源ユニット６１の向きを９０°ごとに変更して取付けることができる。
加えて、本実施形態の光源ユニット６１は、ＬＥＤ６１０が、基板６１１の中心点からずらして配置されるようにしている。例えば、図６に示す光源ユニット６１のように、ＬＥＤ６１０を、基板６１１の中心点から左上側にずらして配置するようにする。
このようにすると、光源ユニット６１の向きを変えることによってＬＥＤ６１０の配置を一定領域の範囲内で細かく変更することができる。
【００３３】
例えば、図６（ａ）に示す光源ユニット６１を、時計周り方向（基板上の矢印方向）に９０°回転させて枠体６６に取り付けると、図６（ｃ）に示すように、爪部６６１ｐと固定孔６１２ｓ、爪部６６１ｑと固定孔６１２ｐ、爪部６６１ｒと固定孔６１２ｑ、爪部６６１ｓと固定孔６１２ｒ、がそれぞれ係合され、光源ユニット６１の固定領域の右上の小領域にＬＥＤ６１０が配置される。
同様に、光源ユニット６１を１８０°回転させて枠体６６に取付けると、ＬＥＤ６１０は固定領域の右下の小領域に配置され、光源ユニット６１を２７０°回転させて枠体６６に取付けると、ＬＥＤ６１０は固定領域の左下の小領域に配置される（図示省略）。
すなわち、固定孔６１２と爪部６６１の組み合わせを変えることによって、ＬＥＤ６１０の配置を、光源ユニット６１の固定領域の範囲内で変更することができる。
【００３４】
つぎに、本実施形態に係る光源ユニット及び枠体の他の例について説明する。
図７（ａ）は、本実施形態に係る光源ユニット及び枠体の他の例を示す斜視図、図７（ｂ）は、光源ユニットを枠体に取付けたときの正面図、図７（ｃ）は、光源ユニットの向きを変えて枠体に取付けたときの正面図である。
図７（ａ）に示すように、本例の光源ユニット６１ａは、円盤状の基板６１１ａを備え、この円周に沿って施された円弧状の固定孔６１２’を備える点で前例の光源ユニット６１と異なる。
また、本例の枠体６６ａは、光源ユニット６１ａの形状にあわせて円状の貫通孔６６２ａを形成する点で前例の枠体６６と異なる。
他の構成は、前例の光源ユニット６１及び枠体６６と同様である。
【００３５】
このような光源ユニット６１ａを枠体６６ａに取付けるに当たっては、前例と同様、光源ユニット６１ａの固定孔６１２ｐ’〜６１２ｓ’を、それぞれ爪部６６１ｐ’〜６６１ｓ’に嵌め込むようにする。
これにより、図７（ｂ）に示すように、爪部６６１ｐ’と固定孔６１２ｐ’、爪部６６１ｑ’と固定孔６１２ｑ’、爪部６６１ｒ’と固定孔６１２ｒ’、爪部６６１ｓ’と固定孔６１２ｓ’、がそれぞれ係合して光源ユニット６１ａが固定され、この固定領域の左上の小領域にＬＥＤ６１０が配置される。
【００３６】
ここで、本例の光源ユニット６１ａは、固定孔６１２’が円弧状に形成されており、この固定孔６１２’の弧長に対応した回転角度θの範囲内でＬＥＤ６１０の配置を変更できるようにしている。
例えば、図７（ａ）に示す光源ユニット６１ａを、反時計周り方向にθ°回転させて枠体６６ａに取り付けると、図７（ｃ）に示すように、爪部６６１’と固定孔６１２’との係合関係はそのまま、基板６１１ａの中心を基点にして反時計回りにθ°回転した位置にＬＥＤ６１０が配置される。
つまり、本例によれば、ＬＥＤ６１０の配置を光源ユニット６１ａの固定領域内の上下左右の各小領域に変更することができるだけなく、光源ユニット６１ａが一定の長さの円弧状の固定孔６１２’を備えるため、ＬＥＤ６１０の配置を各小領域内において任意の角度で回転移動させることができる。
【００３７】
すなわち、図６又は図７に示す本実施形態の光源ユニット６１，６１ａ及び枠体６６，６６ａの例によれば、ＬＥＤ６１０の出射光を印刷シート６３の該当箇所に対しより正確にスポット照射することができる。
【００３８】
このように、本実施形態に係るスロットマシン１によれば、パネル部６が第一の光源であるＬＥＤ６００と第二の光源であるＬＥＤ６１０を備え、ＬＥＤ６００により印刷シート６３の広範囲を均一に照射しつつ、ＬＥＤ６１０により特定範囲をスポット的に照射するようにしている。
このため、演出性に優れたパネル表示を提供することができる。
また、ＬＥＤ６１０は、反射シート６５を局所的に切除した開口部６５１の箇所であって、反射シート６５より後ろ側に配置するようにしている。
このため、印刷シート６３の広範囲を効率よく発光させつつ、特定の範囲についても効率よく集中的に発光させることができる。
また、ＬＥＤ６１０を着脱可能なユニット構成にすることによって、その光源ユニット６１を絵柄等に的確に対応した任意の領域に着脱自在に取付けることができる。
このため、機種の相違等により印刷シート６３の絵柄等の変更を伴う場合であっても、的確にパネル表示を行うパネル部６を迅速かつ容易に形成することができる。
また、光源その他のパネル部材の再利用が可能となるため、汎用性が高く、環境性に優れたスロットマシン１を提供することができる。
また、光源ユニット６１を枠体６６に取付けるための係止手段を、光源ユニット６１と枠体６６の双方に備えるようにしている。ここで、光源ユニット６１は基板６１１の中心点を基準に点対称に固定孔６１２を備え、枠体６６はこの固定孔６１２に対応した爪部６６１を備えるようにしている。
このため、光源ユニット６１を所定の向きに変えて固定することができる。
また、ＬＥＤ６１０を中心点からずらして配置することにより、ＬＥＤ６１０の配置をより細かく適切な配置に調整することができる。
また、枠体６６には、光源ユニット６１を取付ける領域に、貫通孔６６２を備えるようにしているため、リード線６１９の引き出しや布設を容易にすることができる。
また、反射シート６５に切取り線６５２を施すことによって、ＬＥＤ６１０の印刷シート６３に対する光路にかかる開口部６５１を容易に形成することができる。
【００３９】
［第二実施形態］
つぎに、本発明の第二実施形態に係るスロットマシンのパネル部について説明する。
図８（ａ）は、本発明の第二実施形態に係るパネル部を構成する光源ユニット及び枠体の一例を示す斜視図、図８（ｂ）は光源ユニットの正面図、図８（ｃ）は、光源ユニットの分解斜視図である。
これらの図に示すように、本実施形態に係るパネル部６の枠体６６ｂは、長窓状の貫通孔６６２ｂを設けることによって二本以上の平行したレール枠６６３を備え、光源ユニット６１ｂを、このレール枠６６３間の水平方向の任意の位置に取付けることができるとともに、第二の光源６１０が垂直方向にスライド可能に取付けることができる点において特徴を有する。
すなわち、本実施形態のパネル部６は、第二の光源であるＬＥＤ６１０を水平及び垂直方向に自在に変更して配置することができる点で第一実施形態と異なる。
他の構成は第一実施形態と同様である。このため共通する構成については図１〜７と同一の符号を付してその説明を省略する。
以下、本実施形態のパネル部６を構成する光源ユニット６１ｂについて詳細に説明する。
【００４０】
本実施形態に係る光源ユニット６１ｂは、二本のレール枠６６３に架設可能な長さを有する本体６１３と、弾性変形により二本のレール枠６６３に係止される弾性係止部と、光源ユニット６１ｂの本体６１３の長手方向にスライド移動可能に設けられＬＥＤ６１０を備えるスライド部６１４とからなる。
本体６１３は、図８（ａ）〜（ｃ）に示すように、長手方向の長さがほぼレール枠６６３間と同じである細長板状の位置調整板６１３１を備え、その上下に上部支持片６１３２及び下部支持片６１３３を備えることで、全体が断面コ型状に一体成形されている。
また、位置調整板６１３１と、上部支持片６１３２との境界部及び下部支持辺との境界部には、所定の切込みを施すことにより切込み部６１３４を形成している。また、上部支持片６１３２の上面と下部支持片６１３３の下面にはゴムなどの弾性部材６１５を貼付してある。
【００４１】
このようにすると、上部支持片６１３２と下部支持片６１３３とをそれぞれ対向して押し合わせることによって本体６１３に撓みをつくることができる。そして、レール枠６６３間でこの撓みを開放することによって両側のレール枠６６３に対し弾性力が働き、光源ユニット６１ｂを係止させることができる。
また、レール枠６６３間は、仕切り等が無いため、水平方向の任意の位置に光源ユニット６１ｂを取付けることができる。
位置調整板６１３１の長手方向には、一定間隔で凹凸加工を施すことにより凹凸部６１３５を形成している。このようにすると、スライド部６１４に対する滑り止めや抜け止めの効果を奏する。また、スライド部６１４の取付け位置の目安にすることができ、ＬＥＤ６１０を的確に配置することができる。
【００４２】
スライド部６１４は、いわゆるクリップ機能を有する板材にＬＥＤ６１０を配置したものである。
すなわち、スライド部６１４は、一定の弾性を有する板材の一方の端部をＳ字状に折り曲げた形状となっており、この折り曲げ構造による弾性力によって位置調整板６１３１に対し移動可能に保持できるようにしている。
このようにすると、位置調整板６１３１の凹凸加工による滑り止め効果等も働き、ＬＥＤ６１０を任意の位置に安定的に配置することができる。
【００４３】
つぎに、本実施形態に係る光源ユニットの他の例について説明する。
図９は、本実施形態に係る光源ユニットの他の例を示す斜視図である。
図９に示すように、本例の光源ユニット６１ｃは、本体６１３ａが、短冊状（長尺）の位置調整板６１３１ａのみからなり、その両端部にレール枠６６３（枠体６６ｂ）を挟み込むための切込み挟持部６１３６を備える点で異なる。その他の構成は前例と同様である。
具体的には、本例に係る本体６１３ａ（位置調整板６１３１ａ）は、合成樹脂等、一定の弾性を有する材料によって短冊状に形成された板材からなり、この板材の両端部に切込みを施し、さらに、この切込み箇所をＳ字形状に加工した切込み挟持部６１３６を備えている。すなわち、切込み挟持部６１３６におけるＳ字形状による弾性変形によって、レール枠６６３の断面が挟持され、本体６１３ａが係止される。板材の長さは、本体６１３ａを長手方向に撓ませ、この撓みをレール枠６６３間で開放したときにレール枠６６３に対し適度に応力が働く程度の長さとしている。
【００４４】
このようにすると、本体６１３ａを長手方向に撓ませ、これをレール枠６６３間で開放することによって、光源ユニット６１ｃをレール枠６６３間の任意の位で係止させることができる。
なお、前例の位置調整板６１３１と同様、凹凸部６１３５を備え、スライド部６１４に対する滑り止め等が処置されている。
このように、本例の光源ユニット６１ｃによっても、ＬＥＤ６１０を所定位置に安定的に配置することができる。
【００４５】
したがって、本実施形態に係る光源ユニット６１ｂ、６１ｃ及び枠体６６ｂからなるパネル部６を有するスロットマシン１においても、第一実施形態と同様の作用効果を奏することができる。
また、光源ユニット６１ｂ、６１ｃをレール枠６６３間の任意の位置に取り付けることができ、スライド部６１４を本体６１３の任意の位置に取付けることができるため、ＬＥＤ６１０を、所望の位置に正確に配置することができる。
また、光源ユニット６１ｂ、６１ｃが、本体６１３とスライド部６１４とに分離可能であり、枠体６６ｂの形態が変わったとしても、光源は取り外して再利用することができる。
このため、第一実施形態よりもさらに汎用性を高めることができる。
【００４６】
［第三実施形態］
つぎに、本発明の第三実施形態に係るスロットマシンのパネル部について説明する。
図１０は、本実施形態に係るパネル部を構成する光源ユニット及び枠体の一例を示す説明図であり、図１１は、本実施形態に係るパネル部を構成する光源ユニット及び枠体の他の例を示す説明図である。
これらの図に示すように、本実施形態では、光源ユニット６１ｄを、所定のネジ６１８（取付け部材）で枠体６６ｃに取付けるようしており、このような構成によりＬＥＤ６１０を任意の領域に配置できるようにしている。このため、本実施形態の光源ユニット６１ｄは、端部にＬＥＤ６１０が配置された短冊状の板材６１６に所定の接合孔６１７を形成するとともに、枠体６６ｃは、取付け孔６６４が形成され、接合孔６１７と取付け孔６６４とをネジ６１８で固定することによってＬＥＤ６１０を枠体６６ｃの任意の位置に配置することができる点において前述の第一及び第二実施形態と異なる。他の構成は同様である。このため、共通する構成については図１〜９と同一の符号を付して説明を省略する。
以下、本実施形態のパネル部６を構成する光源ユニット６１ｄ及び枠体６６ｃについて詳細に説明する。
【００４７】
本実施形態に係る光源ユニット６１ｄは、図１０に示すように、短冊状の板材６１６の一方の端部にＬＥＤ６１０を配置するとともに他方の端部に接合孔６１７が形成されている。
また、枠体６６ｃは、格子状の枠を形成し、この枠に所定間隔で取付け孔６６４が形成されている。
また、本実施形態に係る光源ユニット６１ｄは、図１１に示すように、短冊状の板材６１６の一方の端部にＬＥＤ６１０を配置するとともに、長手方向に複数又は長孔状の接合孔６１７を形成している。
光源ユニット６１ｄ及び枠体６６ｃを、このような構造にすると、枠体６６ｃの任意の取付け孔６６４に、光源ユニット６１ｄの板材６１６の方向と長さを調節してネジ６１８で固定することができるため、ＬＥＤ６１０の配置を細密に変更することができる。
このため、ＬＥＤ６１０同士が近接する場合であっても、出射光が相互に干渉しないように各ＬＥＤ６１０の位置を微調整することができる。
【００４８】
このように、本実施形態に係る光源ユニット６１ｄ及び枠体６６ｃからなるパネル部６を有するスロットマシン１によれば、枠体６６ｃに一又は二以上の取付け孔６６４が形成され、光源ユニット６１ｄは、長手方向に一又は二以上の接合孔６１７が形成された一定長の板材６１６と、この板材６１６の端部に配置されたＬＥＤ６１０とを備え、取付け孔６６４と接合孔６１７とをネジ６１８で固定することによって光源ユニット６１ｄを枠体６６ｃに着脱自在に取付けることができる。
このため、第一及び第二の実施形態と同様の作用効果を奏することができるだけでなく、ＬＥＤ６１０の配置をより細密に変更することができる。
したがって、本実施形態に係るパネル部６を有するスロットマシン１によれば、ＬＥＤ６１０が印刷シート６３の該当箇所をより正確にスポット照射することができる。
また、ＬＥＤ６１０の配置が輻輳するような場合であっても、出射光が相互に干渉しないように位置調整することができる。
【００４９】
以上、本発明のスロットマシンの好ましい実施形態について説明したが、本発明に係るスロットマシンは上述した実施形態にのみ限定されるものではなく、本発明の範囲で種々の変更実施が可能であることはいうまでもない。
例えば、一つの光源ユニット６１に、ＬＥＤ６１０を複数備えるようにしてもよい。この際、発光色がそれぞれ異なるようにすることで演出性をより高めることができる。
また、枠体６６の貫通孔６６２は、矩形や円形の他、三角形など他の任意の形状であっても良い。
また、前述の第一実施形態と第二実施形態とを組み合わせることによっても本発明のスロットマシン１を実現することができる。
例えば、第一実施形態に係る光源ユニット６１が、第二実施形態に係る光源ユニット６１ｂ，６１ｃの弾性係止部とスライド部６１４を備えるようにしてもよい。
このようにすると、光源ユニット６１の向きを任意に変更しつつ、水平方向に移動することができ、さらに、スライド部６１４を垂直方向に移動することができ、より細密にＬＥＤ６１０の位置を調整することができる。
【符号の説明】
【００５１】
１  スロットマシン（遊技機）
１ａ  前扉
２  ドラムユニット
３０  制御部
３１  演出制御部
４  操作部
４１  スタートレバー
４２（４２ａ，４２ｂ，４２ｃ）  停止ボタン
６  パネル部
６１  光源ユニット
６００  ＬＥＤ（第一の光源）
６０１  基板
６１０  ＬＥＤ（第二の光源）
６１１  基板
６１２  固定孔
６１３  （光源ユニット）本体
６１３１  位置調整板
６１３２  上部支持片
６１３３  下部支持片
６１３４  切込み挟持部
６１４  スライド部
６１５  弾性部材
６１６  板材
６１７  接合孔
６１８  ネジ（取付け部材）
６１９  リード線
６２  パネル枠
６３  印刷シート
６４  導光板
６５  反射シート
６５１  開口部
６５２  切取り線
６６  枠体
６６１  爪部
６６２  貫通孔
６６３  レール枠
６６４  取付け孔
７  スピーカ
【図１】
0005610214.tif 000002
【図２】
0005610214.tif 000003
【図３】
0005610214.tif 000004
【図４】
0005610214.tif 000005
【図５】
0005610214.tif 000006
【図６】
0005610214.tif 000007
【図７】
0005610214.tif 000008
【図８】
0005610214.tif 000009
【図９】
0005610214.tif 000010
【図１０】
0005610214.tif 000011
【図１１】
0005610214.tif 000012